(57)【要約】【課題】停電時に予備電源を利用して発光するＬＥＤ照明具であって、蛍光灯プラグから取外して懐中電灯のような活用をすることができ、停電を検出するための手段を外部に設置する必要のないＬＥＤ照明具を提供すること。【解決手段】商用電源によって充電可能な蓄電池と、ＬＥＤ発光体を商用電源によって点灯させる第一の点灯状態と、ＬＥＤ発光体を前記蓄電池によって点灯させる第二の点灯状態と、ＬＥＤ発光体を点灯させない消灯状態とを切り替えるスイッチと、スイッチを制御する制御回路とを備える。制御回路は、商用電源の供給の有無を監視して、３つの状態の切替を行う。【選択図】図１
2015076131.tif 000002
【特許請求の範囲】
【請求項１】
蛍光灯プラグに着脱可能で、蛍光灯プラグに供給される商用電源によってＬＥＤ発光体を点灯させるＬＥＤ照明具であって、
前記商用電源によって充電可能な蓄電池と、
前記ＬＥＤ発光体を前記商用電源によって点灯させる第一の点灯状態と、前記ＬＥＤ発光体を前記蓄電池によって点灯させる第二の点灯状態と、前記ＬＥＤ発光体を点灯させない消灯状態とを切り替える第一のスイッチと、
前記第一のスイッチを制御する制御回路とを備えることを特徴とするＬＥＤ照明具。
【請求項２】
前記制御回路は、
前記商用電源の供給の有無を監視し、
前記商用電源の供給の有無が所定時間内に所定回数以上切り替わりその後に前記商用電源の供給がある場合及びない場合には前記消灯状態とし、
前記商用電源の供給の有無が所定時間内に所定回数以上切り替わることなく前記商用電源の供給がない状態からある状態に切り替わった場合には前記第一の点灯状態とし、
前記商用電源の供給の有無が所定時間内に所定回数以上切り替わることなく前記商用電源の供給がある状態からない状態に切り替わった場合には前記第二の点灯状態とすることを特徴とする、請求項１に記載のＬＥＤ照明具。
【請求項３】
前記第一のスイッチの状態にかかわらず前記第二の点灯状態及び前記消灯状態を実現する第二のスイッチを備えることを特徴とする、請求項１又は２に記載のＬＥＤ照明具。
【請求項４】
前記蛍光灯プラグと前記蓄電池との間にヒューズを備えることを特徴とする、請求項１〜３のいずれか１項に記載のＬＥＤ照明具。
【請求項５】
前記蓄電池の充電状況を示すインジケータを備えることを特徴とする、請求項１〜４のいずれか１項に記載のＬＥＤ照明具。
【発明の詳細な説明】
【技術分野】
【０００１】
本発明は、蛍光灯プラグに供給される商用電源によってＬＥＤ発光体を点灯させるＬＥＤ照明具、特に内蔵した蓄電池によって停電時に発光するＬＥＤ照明具に関する。
【背景技術】
【０００２】
蛍光灯プラグに着脱可能で、蛍光灯プラグに供給される商用電源によってＬＥＤ発光体を点灯させるＬＥＤ照明具が販売されている。ＬＥＤ発光体は従来の蛍光灯よりも低電力で発光するので、商用電源が停電した場合に予備電源を用いて発光させることが容易であり、停電時の光源としても活用できる。
【０００３】
特許文献１には、予備電源を用いて点灯させるＬＥＤ照明具が開示されている。また、特許文献２には、商用電源の無電圧を検出して電源を切替える切替回路が開示されている。特許文献１及び特許文献２に開示のものを合わせて用いれば、平常時には商用電源によって点灯し停電時には予備電源によって点灯するＬＥＤ照明具が実現できる。
【０００４】
しかし、そのようなＬＥＤ照明具を実現しても、以下の点で不便である。（１）予備電源からの電力が蛍光灯プラグに供給されるので、蛍光灯プラグから取外して携帯する懐中電灯のような活用をすることができない。（２）蛍光灯の点灯／消灯を切り替えるスイッチを操作することで蛍光灯プラグへの給電がなくなる。これと停電とを峻別する仕組みが必要であるが、大がかりなものとなってしまう。（商用電源の無電圧検出をスイッチよりも電源側で実行することとなり、ＬＥＤ照明具に実装することができない。）
【先行技術文献】
【特許文献】
【０００５】
【特許文献１】特開２０１２−２４３７４７号公報
【特許文献２】特開平０５−０１５０８４号公報
【発明の概要】
【発明が解決しようとする課題】
【０００６】
本発明は、停電時に予備電源を利用して発光するＬＥＤ照明具であって、蛍光灯プラグから取外して懐中電灯のような活用をすることができ、停電を検出するための手段を外部に設置する必要のないＬＥＤ照明具を提供することを課題とする。
【課題を解決するための手段】
【０００７】
本発明のＬＥＤ照明具は、
蛍光灯プラグに着脱可能で、蛍光灯プラグに供給される商用電源によってＬＥＤ発光体を点灯させるＬＥＤ照明具であって、
前記商用電源によって充電可能な蓄電池と、
前記ＬＥＤ発光体を前記商用電源によって点灯させる第一の点灯状態と、前記ＬＥＤ発光体を前記蓄電池によって点灯させる第二の点灯状態と、前記ＬＥＤ発光体を点灯させない消灯状態とを切り替える第一のスイッチと、
前記第一のスイッチを制御する制御回路とを備えることを特徴とする。
【０００８】
蛍光灯型のＬＥＤ照明具は、円柱形状の断面における直径方向にＬＥＤ発光体を有し、その直径の片側は光路ではないので、そこに蓄電池、第一のスイッチ及び制御回路を実装できる。
【０００９】
本発明のＬＥＤ照明具は、
前記制御回路が、
前記商用電源の供給の有無を監視し、
前記商用電源の供給の有無が所定時間内に所定回数以上切り替わりその後に前記商用電源の供給がある場合及びない場合には前記消灯状態とし、
前記商用電源の供給の有無が所定時間内に所定回数以上切り替わることなく前記商用電源の供給がない状態からある状態に切り替わった場合には前記第一の点灯状態とし、
前記商用電源の供給の有無が所定時間内に所定回数以上切り替わることなく前記商用電源の供給がある状態からない状態に切り替わった場合には前記第二の点灯状態とすることを特徴とする。
【００１０】
停電を検出するための手段を外部に設置することなく、スイッチ操作と停電の峻別を行うことができる。使用者は、スイッチを所定時間内に所定回数以上切り替えて、停電でなく自己の意思によるスイッチ操作であることを示すことができる。
【００１１】
本発明のＬＥＤ照明具は、
前記第一のスイッチの状態にかかわらず前記第二の点灯状態及び前記消灯状態を実現する第二のスイッチを備えることを特徴とする。
【００１２】
蛍光灯プラグから取外して携帯する懐中電灯のような活用をする場合には、第二のスイッチを活用する。
【００１３】
本発明のＬＥＤ照明具は、
前記蛍光灯プラグと前記蓄電池との間にヒューズを備えることを特徴とする。
【００１４】
落雷等の場合における蓄電池の過電流火災を防止する。蓄電池がＬＥＤ照明具内に備えられているので、この機能が重要となる。
【００１５】
本発明のＬＥＤ照明具は、
前記蓄電池の充電状況を示すインジケータを備えることを特徴とする。
【００１６】
停電時に確実に点灯するか否かを伝え、使用者の安心感を得ることができる。
【発明の効果】
【００１７】
停電時に予備電源を利用して発光するＬＥＤ照明具であって、蛍光灯プラグから取外して懐中電灯のような活用をすることができ、停電を検出するための手段を外部に設置する必要のないＬＥＤ照明具を提供することができる。
【図面の簡単な説明】
【００１８】
【図１】図１は、本発明のＬＥＤ照明具を示す図である。
【図２】図２は、本発明のＬＥＤ照明具の回路図である。
【発明を実施するための形態】
【００１９】
図１は、本発明のＬＥＤ照明具を示す図である。蛍光灯型のＬＥＤ照明具１には、ＬＥＤ発光体２が備えられている。ＬＥＤ発光体２は図の下方に向けて発光する。ＬＥＤ照明具１のＬＥＤ発光体２によって仕切られた上方に、蓄電池３及び制御回路４が収められている。
【００２０】
第二のスイッチ５は、ＬＥＤ照明具１の筒体の外側から操作可能であり、ＬＥＤ照明具１を蛍光灯プラグ６から取外した時に蓄電池３によってＬＥＤ発光体２を発光させるか否かを定める。
【００２１】
蓄電池３には、インジケータ７が備えられている。インジケータ７は、例えば、蓄電池３が十分に充電されていれば緑色に、蓄電池３が十分に充電されていなければ赤色に発光し、ＬＥＤ照明具１を蛍光灯プラグ６から取外した時に蓄電池３によってＬＥＤ発光体２を発光させることが十分に長時間行い得るか否かを示す。
【００２２】
蓄電池３は蛍光灯プラグ６からの電圧によって充電されるが、蓄電池３と蛍光灯プラグ６との間にはヒューズ８が備えられ、落雷等の場合における蓄電池の過電流火災を防止している。
【００２３】
図２は、本発明のＬＥＤ照明具の回路図である。第二のスイッチ５を点灯位置５２に置けば蓄電池３によってＬＥＤ発光体２が発光される。第二のスイッチ５を消灯位置５３に置けば蓄電池３によってＬＥＤ発光体２が発光されることがない。
【００２４】
ＬＥＤ照明具１を蛍光灯プラグ６に取付ける時には、第二のスイッチ５を制御位置５１に置く。そうすると、ＬＥＤ発光体２の発光が制御回路４によって制御される。
【００２５】
制御回路４は、第一のスイッチを介してＬＥＤ発光体２の発光を制御している。第一のスイッチ９を第一の点灯位置９１に置けば蛍光灯プラグ６の電源によってＬＥＤ発光体２が発光される。第一のスイッチ９を第二の点灯位置９２に置けば蓄電池３によってＬＥＤ発光体２が発光される。第一のスイッチ９を消灯位置９３に置けばＬＥＤ発光体２が発光されることがない。
【００２６】
制御回路４は、蛍光灯プラグ６の電圧を監視し、電圧のある状態からない状態に変化した際に、第一のスイッチ９を第二の点灯位置９２に置いて蓄電池３によってＬＥＤ発光体２が発光させる。停電時にＬＥＤ発光体２を発光させるものである。
【００２７】
また、制御回路４は、蛍光灯プラグ６の電圧を監視し、電圧のない状態からある状態に変化した際に、第一のスイッチ９を第一の点灯位置９１に置いて蛍光灯プラグ６の電源によってＬＥＤ発光体２を発光させる。通常時の照明を行うものである。
【００２８】
以上で、通常時には蛍光灯プラグ６の電源によって、停電時には蓄電池３によって、ＬＥＤ発光体２が発光させることができる。ここで、停電でなく使用者が蛍光灯プラグ６への通電のスイッチ（非図示）を操作することによって蛍光灯プラグ６の電圧がなくなる場合の処理が問題となる。かかる場合に、使用者は消灯したいものと考えられるが、制御回路４に停電とスイッチ操作との峻別ができないと、消灯できずに蓄電池３によるＬＥＤ発光体２の発光となってしまう。
【００２９】
そこで、使用者は、スイッチ操作であることを示すため、所定時間内に所定回数以上スイッチのＯＮ／ＯＦＦを行うものとする。ここで、所定時間及び所定回数は適宜に定めてよいが、２〜３秒、２回とすることが使用を容易にする。
【００３０】
完全に消灯したい使用者は、２〜３秒の間にスイッチをＯＦＦにし、ＯＮにし、再びＯＦＦにする。制御回路４は、これによってスイッチ操作である（停電でない）ことを知り、第一のスイッチ９を消灯位置９３に置いてＬＥＤ発光体２の発光を止める。
【００３１】
また、使用者は、２〜３秒の間にスイッチをＯＮにし、ＯＦＦにし、再びＯＮにすることもできる。この場合、制御回路４は、第一のスイッチ９を消灯位置９３に置いてＬＥＤ発光体２の発光を止めるが、蛍光灯プラグ６の電圧が電圧のある状態からない状態に変化した際に、第一のスイッチ９を第二の点灯位置９２に置いて蓄電池３によってＬＥＤ発光体２が発光させる。消灯しつつも、停電時には蓄電池３によってＬＥＤ発光体２が発光させるものである。
【産業上の利用可能性】
【００３２】
停電時に予備電源を利用して発光するＬＥＤ照明具であって、蛍光灯プラグから取外して懐中電灯のような活用をすることができ、停電を検出するための手段を外部に設置する必要のないＬＥＤ照明具であり、多くの個人及び企業による利用が考えられる。
【符号の説明】
【００３３】
１    ＬＥＤ照明具
２    ＬＥＤ発光体
３    蓄電池
４    制御回路
５    第二のスイッチ
６    蛍光灯プラグ
７    インジケータ
８    ヒューズ
９    第一のスイッチ
【図１】
2015076131.tif 000003
【図２】
2015076131.tif 000004